(57)【要約】  本開示は、概して、改良された様々な取付デバイスに関する。一部の実施形態は、１つ以上の接着ストリップを用いて垂直面に装着又は取り付け可能なブラケットと、ブラケットに掛けられた品物が水平に摺動してブラケットから外れることを防ぐ又は最小限にする、ブラケット上の１つ以上の機械的特徴とを含む取付デバイスに関する。
2018516608.tif 000002
【特許請求の範囲】
【請求項１】
１つ以上の接着ストリップを用いて垂直面に装着又は取り付け可能なブラケットと、
前記ブラケットに掛けられた品物が水平に摺動して前記ブラケットから外れることを防ぐ又は最小限にする、前記ブラケット上の１つ以上の機械的特徴と、を含む取付デバイス。
【請求項２】
前記ブラケットが、
背板及び概ね水平な板と、
前記概ね水平な板の上の１つ以上の歯とを含む、請求項１に記載の取付デバイス。
【請求項３】
前記ブラケットが、
概ね水平な板に装着された又はこれと一体の背板と、
前記概ね水平な板に装着された又はこれと一体のリップとを含む、請求項２に記載の取付デバイス。
【請求項４】
前記リップが１つ以上の歯を含む、請求項３に記載の取付デバイス。
【請求項５】
前記ブラケットが、
概ねＵ字形の装置に装着された又はこれと一体の板と、
前記取付デバイスを品物に接着可能な、前記Ｕ字形の装置の最上側面にある装着部又は固定部とを含む、請求項１〜４のいずれか一項に記載の取付デバイス。
【請求項６】
前記品物が、キャンバス、張キャンバス、装飾品、写真、又は絵画用フレームのうちの少なくとも１つである、請求項１〜５のいずれか一項に記載の取付デバイス。
【請求項７】
前記ブラケットの最上側面にある装着部又は固定部を更に含む、請求項１〜６のいずれか一項に記載の取付デバイス。
【請求項８】
前記装着部又は固定部が、接着ストリップ、接着剤、絵画掛けストリップ、及び／又はループ係合材料のうちの少なくとも１つである、請求項７に記載の取付デバイス。
【発明の詳細な説明】
【技術分野】
【０００１】
本開示は一般に、一部の実施形態において、特にキャンバスを取り付けるために有用であり得る様々な取付デバイスに関する。
【背景技術】
【０００２】
図１Ａ及び図１Ｂは、例示的な先行技術の張キャンバス（例えば、フレームに張られたキャンバス）のそれぞれ前面及び背面の写真である。張キャンバス１００は、フレーム１１０（通常、木材又は圧縮木材）と、フレーム縁部を包み込むキャンバス１２０とを含む。張キャンバスを掛ける一般的な方法としては、例えば、釘、ワイヤフック、Ｊフック、鋸歯ブラケット、又はＤリングの使用が挙げられる。
【発明の概要】
【０００３】
本開示の発明者らは、張キャンバスを掛けるための既存の方法及び取付デバイスを改良できることを認識した。例えば、損傷を与えることのない取付デバイスが望ましい。そのために、本開示の発明者らは、張キャンバスを壁若しくは垂直面に掛ける又は取り付けることのできる様々な取付デバイスを発明した。
【０００４】
本開示の一部の実施形態は、１つ以上の接着ストリップを用いて壁に装着又は取り付け可能なブラケットに関する。一部の実施形態において、壁に取り付けられるブラケットは、例えば張キャンバス絵画を保持することができ、キャンバスが水平に摺動してブラケットから外れることを防ぐ又は最小限にする１つ以上の機械的特徴を有する。一部の実施形態において、キャンバスが水平に摺動してブラケットから外れることを防ぐ又は最小限にする機械的特徴は、歯又は突起である。
【０００５】
一部の実施形態は、１つ以上の接着ストリップを用いて垂直面に装着又は取り付け可能なブラケットと、ブラケットに掛けられた品物が水平に摺動してブラケットから外れることを防ぐ又は最小限にする１つ以上の機械的特徴とを含む取付デバイスに関する。一部の実施形態において、品物は張キャンバスである。一部の実施形態において、ブラケットは、背板及び概ね水平な板と、概ね水平な板の上の１つ以上の歯とを含む。一部の実施形態において、ブラケットは、概ね水平な板に装着された又はこれと一体の背板と、概ね水平な板に装着された又はこれと一体のリップとを含む。一部の実施形態において、リップは１つ以上の歯を含む。一部の実施形態において、ブラケットは、概ねＵ字形の装置に装着された又はこれと一体の板と、取付デバイスを張キャンバスに接着可能な、Ｕ字形の装置の最上側面にある装着部又は固定部とを含む。一部の実施形態において、接着ストリップは、絵画掛けストリップである。
【図面の簡単な説明】
【０００６】
【図１Ａ】例示的な先行技術の張キャンバスの前面の写真である。
【図１Ｂ】例示的な先行技術の張キャンバスの背面の写真である。
【図２Ａ】本明細書で概ね説明するタイプの例示的な取付デバイスの概略斜視図である。
【図２Ｂ】図２Ａの取付デバイスの側面図である。
【図３Ａ】例示的な張キャンバスの概略破断斜視図である。
【図３Ｂ】本明細書の教示による例示的な実施形態の側面である。
【図４Ａ】本明細書で概ね説明するタイプの別の例示的な取付デバイスの背面図である。
【図４Ｂ】本明細書で概ね説明するタイプの別の例示的な取付デバイスの側面図である。
【図４Ｃ】本明細書で概ね説明するタイプの別の例示的な取付デバイスの概略斜視図である。
【図５Ａ】本明細書で概ね説明するタイプの別の例示的な取付デバイスの正面図である。
【図５Ｂ】本明細書で概ね説明するタイプの別の例示的な取付デバイスの側面図である。
【図５Ｃ】本明細書で概ね説明するタイプの別の例示的な取付デバイスの斜視図である。
【図６Ａ】本明細書で概ね説明するタイプの取付デバイスの別の例示的な実施形態の背面の概略斜視図である。
【図６Ｂ】本明細書で概ね説明するタイプの取付デバイスの別の例示的な実施形態の背面の概略斜視図である。
【図６Ｃ】図６Ａ及び図６Ｂに概ね示すタイプの取付デバイスをどのように貼付するかを概ね示す概略側面図である。
【図６Ｄ】図６Ａ及び図６Ｂに概ね示すタイプの取付デバイスをどのように貼付するかを概ね示す概略側面図である。
【図７Ａ】本明細書で概ね説明するタイプの別の例示的な取付デバイスの概略背面斜視図である。
【図７Ｂ】張キャンバスで使用されている図７Ａの取付デバイスの背面斜視図である。
【発明を実施するための形態】
【０００７】
図は、必ずしも一定の比率の縮尺ではない。いくつかの特徴部は、特定の構成要素の詳細を示すために誇張されている又は最小化されていることがある。したがって、本明細書に開示される具体的な構造的及び機能的詳細は限定的なものとして解釈されるべきではなく、本発明の様々な方法による使用を当業者に教示するための代表的な根拠として解釈されるべきである。
【０００８】
本開示について添付図面を参照して、以下により詳しく説明する。添付図面には、例示的な実施形態が示される。しかしながら、本開示の範囲は、多くの異なる形態で具体化されてもよく、本明細書に示される実施形態に限定されると解釈されるべきでない。
【０００９】
本明細書で概ね説明するタイプの１つの例示的な取付デバイスが図２Ａ及び図２Ｂに示される。取付デバイス２００は、概ねＵ字形の装置２２０に装着された又はこれと一体の板２１０を含み、装置２２０と板２１０とは共にブラケットを形成する。歯２３０がＵ字形の装置２２０から上方へ延びる。一部の実施形態において、歯２３０は鋭い傾斜縁部（図２Ａ及び図２Ｂに示す）を有する。一部の実施形態において、歯２３０の傾斜側はブラケットの壁側から離れている。これは、張キャンバスが壁又は垂直面から水平に摺動し始めると、鋭い傾斜縁部が張キャンバスの木製フレームに食い込むため好ましい。接着ストリップ（例えば、絵画掛け接着ストリップ）を取付デバイス２００の背面に貼付して、取付デバイスを壁などの水平面に接着する又は貼付することができる。
【００１０】
当業者は、図示した歯２３０を、例えば挿入された金属歯又は円錐ポイントなどの多くの同様の機能設計に置き換えてもよいことを理解するだろう。当業者は、取付デバイスが任意の所望のサイズであってよく、取付デバイスを任意の所望の材料で作製可能であることを理解するだろう。例えば、Ｕ字形の装置は、例えばＶ字形の装置、Ｔ字形の装置などを含む任意の形状であってよい。当業者は、取付デバイスを使用して、例えば張キャンバス、キャンバス、装飾品、写真、フレームなどを含む任意の所望の品物を掛ける又は取り付けることができることを理解するだろう。当業者は、本明細書の一般的な教示から逸脱することなく、特定の実施形態に多くの変更を行ってもよいことを理解するだろう。
【００１１】
図３Ａ及び図３Ｂは、図２Ａ及び図２Ｂの取付デバイスの例示的な実施形態を例示的な張キャンバスと共にどのように使用できるかを概略的に示す。図３Ａは、例示的な張キャンバスの概略破断斜視図である（張キャンバスの長側面を取り外して、キャンバスフレーム１１０の上縁部１４０が取付デバイス２００上にどのように載置されるかを示している）。図３Ａの張キャンバスは、図３Ｂにおいて取付デバイス２００の上に置かれる。歯２３０が張キャンバスを取付デバイス２００上の所定位置及び／又は適切な位置に固定し、しっかりと保持する。歯２３０は、張キャンバスが水平に摺動して取付デバイス２００から外れることを防ぐ又は最小限にする。接着ストリップ（例えば、絵画掛け接着ストリップ）を取付デバイス４００の背面に貼付して、取付デバイスを壁などの水平面に接着する又は貼付することができる。図３Ｂは、張キャンバスの上フレームの下に取付デバイスをどのように押し込むか、及びおおよその歯の接触点（この特定の実施形態の場合）を示す。これにより、張キャンバスを垂直面又は壁と概ね面一にすることができる（既存製品に勝る大きな利点）。当業者は、取付デバイスが任意の所望のサイズであってよく、取付デバイスを任意の所望の材料で作製可能であることを理解するだろう。当業者は、図示した特定の実施形態に多くの変更を行ってもよいことを理解するだろう。
【００１２】
本明細書で概ね説明するタイプの別の例示的な取付デバイスが図４Ａ〜図４Ｃに示される。図４Ａ〜図４Ｃは、別の例示的な取付デバイス４００の、それぞれ背面図、側面図、及び概略斜視図である。取付デバイス４００は、概ねＵ字形の装置４２０に装着された又はこれと一体の板４１０を含み、装置４２０と板４１０とは共にブラケットを形成する。複数の歯４３０がブラケットから上方へ延びる。歯４３０がもたらす１つの利点は、キャンバス掛けが壁に水平に配置されていない場合でも、キャンバス絵画を水平に掛ける若しくは水平にすることを可能に又は容易にすることである。図４Ａ〜図４Ｃの特定の実施形態に示すように、歯は、放射状のパターンで離間した複数の小さい歯であってよい。あるいは、歯は、一列に並んでいてもよく、かつ／又はまっすぐであってもよい。本実施形態の１つの利点は、取付デバイスを誤って斜めに壁に取り付けた場合に、複数の歯のオプションによれば、ユーザが、取付デバイスを取り外し、再配置して貼付しなおす必要なく、張キャンバスを壁にまっすぐに掛けられる歯を選択できることである。接着ストリップ（例えば、絵画掛け接着ストリップ）を取付デバイス４００の背面に貼付して、取付デバイスを壁などの垂直面に接着する又は貼付することができる。当業者は、取付デバイスが任意の所望のサイズであってよく、取付デバイスを任意の所望の材料で作製可能であることを理解するだろう。当業者は、図示した特定の実施形態に多くの変更を行ってもよいことを理解するだろう。
【００１３】
図５Ａ〜図５Ｃは、本明細書で概ね説明するタイプの別の例示的な取付デバイスの、それぞれ正面図、側面図、及び斜視図である。取付デバイス５００は、背板５１０に装着された又はこれに隣接する概ね水平な板５５０に装着された又はこれに隣接する又はこれと一体の背板５１０と、概ね水平な板５５０と、リップ５６０とを含み、これらは共にブラケットを形成する。一部の実施形態において、リップ５６０はリップ５６０から上方へ延びる１つ以上の歯５３０を含む。本明細書で説明したように、歯は、例えばまっすぐな列及び／又は放射状のパターンであってよい。歯５３０がもたらす１つの利点は、キャンバス掛けが壁に水平に配置されていない場合でも、キャンバス絵画を水平に掛ける若しくは水平にすることを可能に又は容易にすることである。接着ストリップ（例えば、絵画掛け接着ストリップ）を背板５１０の背面に貼付して、取付デバイスを壁などの垂直面に接着する又は貼付することができる。使用時に、張キャンバスのフレームの一部が概ね水平な板５５０上に載置される。リップ５６０及び歯５３０は、張キャンバスが水平に摺動して取付デバイス５００から外れることを防ぐ、又は最小限にする。当業者は、取付デバイスが任意の所望のサイズであってよく、取付デバイスを任意の所望の材料で作製可能であることを理解するだろう。当業者は、図示した特定の実施形態に多くの変更を行ってもよいことを理解するだろう。
【００１４】
一部の実施形態において、ブラケットは薄板金から形成され、打抜き／形成プロセス中に鋭い歯がブローチ加工される。
【００１５】
図６Ａ及び図６Ｂは、本明細書で概ね説明するタイプの取付デバイスの例示的な実施形態の、それぞれ正面斜視図及び背面斜視図である。図６Ｃ及び図６Ｄは、図６Ａ及び図６Ｂに概ね示すタイプの取付デバイスを張キャンバスにどのように貼付するかを概ね示す概略側面図である。取付デバイス６００は、概ねＵ字形の装置６２０に装着された又はこれと一体の板６１０を含み、装置６２０と板６１０とは共にブラケットを形成する。ブラケットのＵ字形の装置の最上側面にある装着部又は固定部６５０（例えば、接着ストリップ、Ｓｃｏｔｃｈｍａｔｅ（商標）製品、絵画掛けストリップ、例えば３ＭのＤｕａｌ  Ｌｏｃｋ（商標）などのループ係合材料）が、取付デバイス６００を張キャンバスに接着する（例えば、図６Ｃ及び図６Ｄに示す）。一部の実施形態において、ファスナの下半部をブラケットに装着し、キャンバス絵画を掛ける前にファスナの上半部の接着ライナーを取り外す。このようにして、張キャンバスの横方向の動きを防止する又は最小限にする。接着ストリップを取付デバイス６００の背面に貼付して、取付デバイスを壁などの垂直面に接着する又は貼付することができる（図６Ｂに示す）。
【００１６】
任意の公知のループ係合材料を使用することができる。ループ係合部／材料は、任意の所望の長さ又は厚さを有することができる。市販のループ係合材料の一例は、３Ｍ（商標）のＤｕａｌ−Ｌｏｃｋ（商標）ファスナである。以下の参照文献（すべて本明細書に組み込まれている）、すなわち、米国特許第８，７７７，９１９号、同第４，６９９，６２２号、同第４，８９４，０６０号、同第５，０７７，８７０号、同第５，３１２，３８７号、同第５，３４４，６９１号、同第５，３９９，２１９号、同第５，４８７，８０９号、同第５，５３７，７２２号、同第５，５５４，１４６号、同第５，７０５，０１３号、同第５，７５９，３１７号、同第５，８５１，２０５号、同第５，９５７，９０８号、同第５，９８５，０８１号、同第６，０３０，３７３号、同第６，０５１，０９４号、同第６，０７５，１７９号、同第６，１９０，７５８号、同第６，４０６，４６８号、同第６，５４４，２４５号、同第６，５７５，９５３号、同第７，０３２，２７８号、同第７，１２５，４００号、同第７，３６１，２４６号、同第７，３７１，３０２号、同第７，５１７，５７２号、同第７，５７８，８１２号、同第７，６５８，８１３号、同第３，４７１，９０３号、同第４，１２０，７１８号、同第４，２２３，０６７号、同第４，２１６，２５７号、同第４，３９１，６８７号、同第４，３２２，８７５号、同第４，４１５，６１５号、同第４，４５４，１８３号、同第４，５６３，３８８号、同第３，３５３，６６３号、同第３，４０８，７０５号、同第４，９７７，００３号、同第４，６７９，８５１号、同第４，８１９，３０９号、同第４，７７６，６３６号、同第５，３０８，４２８号、同第５，１３５，５９８号、同第４，９１０，０６２号、同第４，８８７，３３９号、同第４，９８５，４８８号、同第５，６７９，３０２号、同第４，８９４，０６０号、同第５，１４５，９２９号、同第５，９０８，６９５号、同第５，０２４，８８０号、同第５，８５２，８５５号、同第５，０４０，２７５号、同第５，１４９，５７３号、同第４，２９０，８３２号、同第５，４５３，３１９号、同第５，６１４，２３２号、同第５，６９１，０２７号、同第５，７１３，１１１号、同第５，６７１，５１２号、同第５，６２５，９２９号、同第５，６７１，５１１号、同第５，８５１，６６３号、同第５，６５４，４８７号、同第５，６０２、２２１号、同第５，５９８，６１０号、同第５，６９１，０２１号、同第７，８７９，４４１号、同第８，２７７，９２２号、同第６，４７０，５４０号、同第６，０７６，２３８号、同第６，５９２，８００号、同第６，６３０，２３９号、同第６，５８８，０７４号、同第７，２１７，４５５号、同第７，７０３，１７９号、同第６，８７４，７７７号、同第７，１４０，７７４号、及び米国特許出願公開第２００４／００１０２１７号のいずれかに記載された任意のループ係合材料、装置、デバイス、製造方法、又は使用方法を、本明細書に記載の実施形態のいずれかにおいて使用することができる。
【００１７】
当業者は、取付デバイスが任意の所望のサイズであってよく、取付デバイスを任意の所望の材料で作製可能であることを理解するだろう。当業者は、図示した特定の実施形態に多くの変更を行ってもよいことを理解するだろう。
【００１８】
図７Ａは、本明細書で概ね説明するタイプの別の例示的な取付デバイスの概略斜視背面図である。図７Ｂは、張キャンバスで使用されている図７Ａの取付デバイスの斜視背面図である。取付デバイス８００は、取付デバイス及び背板が幅広で２つの接着ストリップを含むことを除いて図５Ａ、図５Ｂに示す取付デバイスと略同様である。取付デバイス８００は、概ね水平な板８５０に装着された又はこれに隣接する又はこれと一体の背板８１０を含み、この概ね水平な板８５０は、この板８５０からわずかに上方へ延びる１つ以上の歯８３０に装着され又はこれに隣接する。接着ストリップ（例えば、絵画掛け接着ストリップ）を背板８１０の背面に貼付して、取付デバイスを壁などの垂直面に接着する又は貼付することができる。使用時に、張キャンバスのフレームの一部が概ね水平な板８５０上に載置される。歯８３０は、張キャンバスが水平に摺動して取付デバイス８００から外れることを防ぐ又は最小限にする。当業者は、取付デバイスが任意の所望のサイズであってよく、取付デバイスを任意の所望の材料で作製可能であることを理解するだろう。当業者は、図示した特定の実施形態に多くの変更を行ってもよいことを理解するだろう。
【００１９】
本明細書に記載の実施形態はすべて、３Ｍ（商標）のＣＯＭＭＡＮＤ（商標）接着ストリップ又は絵画掛けストリップと共に使用することができる。一部の実施形態において、接着ストリップは、例えば、本明細書にその両方が組み込まれている米国特許第６，６９２，８０７号及び６，５７２，９４５号などの絵画掛けストリップである。一般に、絵画掛けストリップとは、本明細書で使用されるときには接着テープ構成を指す。この接着テープ構成は、接着テープ構成が接着される１つ以上の物体から取り外し可能であり、構成内で再利用可能に分離できるため、物体を互いに分離することができ、その後互いと再び連結することができる。接着テープ構成を使用して、絵画フレームなどの剛性物体を含む物体の他の対向面を壁に結合することができ、接着テープ構成は物体の間から突出する部分がなく、その後、物体のいずれにも損傷を与えることなく物体を容易に分離することができる。より詳細には、接着テープ構成は、再利用可能なコネクタ面と組み合わせた伸張解放接着テープ構成を含むことができる。市販の絵画掛けストリップの例としては、３Ｍ（商標）のＣＯＭＭＡＮＤ（商標）絵画掛けストリップが挙げられる。
【００２０】
当業者は、上記の実施形態及び実施の基礎となる原理から逸脱することなく、これらの実施形態及び実施の詳細に多くの変更を行ってもよいことを理解するだろう。更に、本開示の趣旨及び範囲から逸脱することなく、本開示の様々な修正及び改変が当業者に明らかになるだろう。したがって、本開示の範囲を以下の特許請求の範囲によってのみ決定すべきである。
【図１Ａ】
2018516608.tif 000003
【図１Ｂ】
2018516608.tif 000004
【図２Ａ】
2018516608.tif 000005
【図２Ｂ】
2018516608.tif 000006
【図３Ａ】
2018516608.tif 000007
【図３Ｂ】
2018516608.tif 000008
【図４Ａ】
2018516608.tif 000009
【図４Ｂ】
2018516608.tif 000010
【図４Ｃ】
2018516608.tif 000011
【図５Ａ】
2018516608.tif 000012
【図５Ｂ】
2018516608.tif 000013
【図５Ｃ】
2018516608.tif 000014
【図６Ａ】
2018516608.tif 000015
【図６Ｂ】
2018516608.tif 000016
【図６Ｃ】
2018516608.tif 000017
【図６Ｄ】
2018516608.tif 000018
【図７Ａ】
2018516608.tif 000019
【図７Ｂ】
2018516608.tif 000020
【国際調査報告】
2018516608.tif 000021
2018516608.tif 000022